(57)【特許請求の範囲】
【請求項１】
複数の記録トラックを有し、各記録トラック内には複数の記憶領域が設けられたディスク形状の記憶媒体を用いてデータの書き込みと読み出しを実施するデータ記憶部と、
書き込まれる各データの前記データ記憶部内における最初と最後の記憶領域の配置情報を少なくとも格納するデータ配置記憶部と、
データを書き込む際には、前記データ配置記憶部の配置情報を用いて前記配置情報に記録が無い記憶領域に書き込みを実施し、書き込んだデータの配置情報をデータ配置記憶部に格納すると共に、データを読み出す際には、前記データ配置記憶部の配置情報を用いてデータを読み出して信号線に送出する制御部とを少なくとも備える記録装置であって、
前記データ記憶部内の各記憶領域について個別に、書き込まれたデータの存在が配置情報に示されている有効領域であるか、あるいは、配置情報の消去により書き込まれたデータが存在しても配置情報に示されていない無効領域であるかの使用状況情報を前記記憶領域の処理単位毎に少なくとも１ビットで格納する使用状況記憶部を備え、
前記制御部は、前記データ記憶部に格納されたデータのバックアップ処理のための読み出し要求を受信した場合に、前記使用状況情報を用いて前記有効領域のみから読み出しを実施する
ことを特徴とする記録ディスクを用いた記録装置。
【請求項２】
前記使用状況記憶部は、前記データ記憶部の各記録トラックの並び順毎に、かつ、記憶領域の並び順毎にテーブル形式で各記憶領域の使用状況情報を格納する
ことを特徴とする請求項１に記載の記録ディスクを用いた記録装置。
【請求項３】
前記制御部は、前記読み出し要求を受信した場合に、読み出したデータの送出先に対して、前記使用状況情報を利用するか否かを問い合わせ、利用する場合には、要求されたデータを読み出して送出する前に、前記使用状況情報を送出する
ことを特徴とする請求項１に記載の記録ディスクを用いた記録装置。
【請求項４】
前記制御部は、前記使用状況情報を利用するか否かを問い合わせる際に、前記制御部から送出先に向けて前記使用状況情報を格納する要求を送出し、要求を受け入れる返信を受信した場合に利用すると判断する
ことを特徴とする請求項３に記載の記録ディスクを用いた記録装置。
【請求項５】
前記制御部は、送出先が前記使用状況情報を利用しないと判断した場合には、前記データを読み出して送出する際に、前記無効領域のデータについてはゼロフィルデータとする
ことを特徴とする請求項３または４に記載の記録ディスクを用いた記録装置。
【請求項６】
通信相手の記録装置と直接に通信可能であるように信号線で接続され、通信相手に向けてバックアップ処理のための読み出し要求を送出する場合に、
前記制御部は、通信相手に対して、前記使用状況情報を利用するか否かを問い合わせ、利用する場合には、要求したデータを受信する前に、前記使用状況情報を受信して使用状況記憶部に格納する
ことを特徴とする請求項１に記載の記録ディスクを用いた記録装置。
【請求項７】
前記制御部は、前記使用状況情報を利用するか否かを問い合わせる際に、前記制御部から通信相手に向けて前記使用状況情報を送出させる要求を送出し、要求を受け入れる返信を受信した場合に利用すると判断する
ことを特徴とする請求項６に記載の記録ディスクを用いた記録装置。
【請求項８】
前記制御部は、前記使用状況情報を用いて有効領域のみのデータを書き込む
ことを特徴とする請求項６または７に記載の記録ディスクを用いた記録装置。
【請求項９】
前記制御部は、受信したデータを書き込んだ後に、前記使用状況記憶部に前記受信したデータの使用状況情報を格納する
ことを特徴とする請求項６〜８の何れかに記載の記録ディスクを用いた記録装置。
【請求項１０】
前記制御部は、前記通信相手が前記使用状況情報を利用しない場合には、受信した全データを書き込む
ことを特徴とする請求項６〜９の何れかに記載の記録ディスクを用いた記録装置。
【請求項１１】
データをバックアップ処理のために読み出す側の記録装置と、前記データを書き込む側の記録装置と、前記双方の記録装置と信号線で接続された管理装置とから構成され、少なくともデータを読み出す側の記録装置が請求項１〜１０の何れかの記録装置である記録システムにおいて、
前記管理装置は、データを読み出す側の記録装置に対して、前記使用状況情報を利用するか否かを問い合わせ、利用する場合には、データを送出する前に、使用状況情報を送出するように要求する
ことを特徴とする記録ディスクを用いた記録システム。
【請求項１２】
前記管理装置は、前記使用状況情報を利用するか否かを問い合わせる際に、前記管理装置からデータを読み出す側の記録装置に向けて前記使用状況情報を送出する要求を送出し、要求を受け入れる返信を受信した場合に利用すると判断する
ことを特徴とする請求項１１に記載の記録ディスクを用いた記録システム。
【請求項１３】
前記管理装置は、データを読み出す側の記録装置が前記使用状況情報を利用する場合には、
該記録装置に対して、前記使用状況情報を用いて有効領域のみから読み出すように要求し、
データを読み出す側の記録装置が前記使用状況情報を利用しない場合には、
該記録装置に対して、全記憶領域を読み出すように要求する
ことを特徴とする請求項１１または１２に記載の記録ディスクを用いた記録システム。
【請求項１４】
前記管理装置は、前記バックアップ処理のためのデータを書き込む側の記録装置に対して、前記使用状況情報を利用するか否かを問い合わせ、利用する場合には、該記録装置にデータを送出する前に、前記使用状況情報を送出する
ことを特徴とする請求項１１に記載の記録ディスクを用いた記録システム。
【請求項１５】
前記管理装置は、前記使用状況情報を利用するか否かを問い合わせる際に、前記管理装置からデータを書き込む側の記録装置に向けて前記使用状況情報を格納させる要求を送出し、要求を受け入れる返信を受信した場合に利用すると判断する
ことを特徴とする請求項１４に記載の記録ディスクを用いた記録システム。
【請求項１６】
前記管理装置は、前記バックアップ処理のためのデータを書き込む側の記録装置が前記使用状況情報を利用する場合には、
該記録装置に対して、前記使用状況情報を用いて有効領域のみを書き込むように要求し、
データを書き込む側の記録装置が前記使用状況情報を利用しない場合には、
該記録装置に対して、全記憶領域を書き込むように要求する
ことを特徴とする請求項１４または１５に記載の記録ディスクを用いた記録システム。
【請求項１７】
前記管理装置は、受信した前記使用状況情報を格納する使用状況中間記憶部を有し、
前記バックアップ処理のためのデータを書き込む側の記録装置が前記使用状況情報を利用しない場合には、受信したデータを送出する際に、前記無効領域についてはゼロフィルデータとする
ことを特徴とする請求項１６に記載の記録ディスクを用いた記録システム。
【請求項１８】
前記管理装置は、書き込む側の記録装置が前記使用状況情報を利用する場合には、該書き込む側の記録装置に前記バックアップ処理のためのデータを書き込ませた後に、該データの使用状況情報を格納させる
ことを特徴とする請求項１６または１７に記載の記録ディスクを用いた記録システム。
【請求項１９】
前記管理装置は、前記書き込む側の記録装置に前記バックアップ処理のためのデータを書き込む処理が、該データについての初回の書き込みである場合には、前記使用状況情報を使用しないで受信した全データを書き込ませる
ことを特徴とする請求項１８に記載の記録ディスクを用いた記録システム。
【請求項２０】
複数の記憶領域が設けられたディスク形状の記憶媒体（記録ディスク）を有し、該記憶媒体に書き込まれる各データの最初と最後の記憶領域の配置情報を少なくとも用いてデータを書き込みあるいは読み出すと共に、前記各記憶領域毎に、書き込まれたデータの存在が配置情報に示されている有効領域であるか、あるいは、配置情報の消去により書き込まれたデータが存在しても配置情報に示されていない無効領域であるかを示す使用状況情報を前記記憶領域の処理単位毎に少なくとも１ビットで格納する記録装置を、少なくとも読み出し側の記録装置として用いる場合に、該記録装置から他の記録装置へデータをバックアップする方法であって、
前記読み出し側の記録装置は、バックアップのために前記記録ディスクの読み出し要求を受信した場合に、前記使用状況情報を用いて前記有効領域のみから読み出しを実施する
ことを特徴とする記録ディスクを用いた記録装置のバックアップ方法。
【請求項２１】
複数の記憶領域が設けられたディスク形状の記憶媒体（記録ディスク）を有し、該記憶媒体に書き込まれる各データの最初と最後の記憶領域の配置情報を少なくとも用いてデータを書き込みあるいは読み出すと共に、前記各記憶領域毎に、書き込まれたデータの存在が配置情報に示されている有効領域であるか、あるいは、配置情報の消去により書き込まれたデータが存在しても配置情報に示されていない無効領域であるかを示す使用状況情報を前記記憶領域の処理単位毎に少なくとも１ビットで格納する記録装置を、少なくとも読み出し側の記録装置として用い、該記録装置から他の記録装置への信号線の途中に管理装置を備える記録システムで、データをバックアップする方法であって、
前記管理装置は、前記読み出し側の記録装置の記録ディスクのデータをバックアップする場合、該読み出し側の記録装置に対して、前記使用状況情報を用いて前記有効領域のみから読み出すように指示する
ことを特徴とする記録ディスクを用いた記録システムのバックアップ方法。
【発明の詳細な説明】
【０００１】
【発明の属する技術分野】
本発明は、磁気ディスクや光学ディスク等の記録ディスクを用いて各種データを記録すると共に記録したデータを外部の別の記録装置に転送してバックアップさせることができる記録装置および記録システムに関し、特に、高速にデータをバックアップさせるための技術に関する。
【０００２】
【従来の技術】
磁気ディスクや光学ディスク等の記録ディスクを用いて各種データを記録する記録装置および記録システムは広く使用されている。また、データを他の記録装置にバックアップできる記録装置としては、例えば、業務用に使用される比較的大規模な記録装置等では、専用通信回線あるいは公衆通信回線を介して他の記録装置にバックアップできるものが多数使用されている。また、パーソナルコンピュータでは、内蔵された１つのハードディスク装置のデータを、内部の信号線を介して内蔵された他のハードディスク装置にバックアップしたり、接続ケーブルを介して外付けのハードディスク装置にバックアップできることが知られている。バックアップの目的としては、例えば、記録装置の故障対策あるいは地震等の天災や事故によるデータの紛失対策である。なお、説明を簡略化するため、以下の発明の説明中では、上記した通信回線、信号線および接続ケーブルを、全て信号線として記載する。
【０００３】
図１２は、従来のバックアップ可能な記録装置および記録システムの概略構成を示すブロック図である。
図中で１と２は、記録ディスクを用いた記録装置であり、３はデータのバックアップを含めて記録装置１と２を管理する管理装置であり、５は記録装置１と２を直接に接続する信号線であり、６は記録装置１と管理装置３とを接続する信号線であり、７は記録装置２と管理装置３とを接続する信号線である。記録装置１と２とは、信号線６と７により、管理装置３を介して間接的に接続されている。信号線５の経路と、信号線６および７を用いた経路については、一般的な記録システムではどちらか一方の経路だけの場合もあるし、両方の経路が備わっている場合もある。
【０００４】
記録装置１と２は同じ構成である。記録装置１には、記録ディスクを用いて各種データを記憶するデータ記憶部１２、記録ディスク上のどこに何のデータが記録されるかのデータ配置を記憶するデータ配置記憶部１３、信号線５あるいは６を介しての外部とのデータの送受信、外部から受信したデータの書き込み、書き込んだデータ配置情報のデータ配置記憶部１３への記録、および、データ配置情報１３に基づく記録ディスクからのデータの読み取り等を制御する制御部１１が設けられている。また、記録装置２にも、同様な機能を有するデータ記憶部２２、データ配置記憶部２３、および、制御部２１が設けられている。
【０００５】
記録装置１のデータ記憶部１２のデータを読み出し、記録装置２のデータ記憶部２２に書き込んでバックアップする場合としては、例えば、信号線５を介して直接に記録装置１から記録装置２に送出する場合と、信号線６、管理装置３、および、信号線７を介して間接的に記録装置１から記録装置２に送出する場合がある。また、信号線５の経路と信号線６および７を用いた経路の両方の経路が備わっている場合には、信号線５を介して直接にデータを送出することで、管理装置３における記録装置１から記録装置２にデータをバックアップする演算負荷を軽減させることができる。
【０００６】
ところで、一般的に記録ディスクを用いた記録装置では、一旦記録したデータを消去する場合、消去時間を短縮する等の事情から、データ記憶部に格納した実際のデータは消去せず、データ配置記憶部内に格納されたデータの開始記憶領域と終了記憶領域のアドレス等のデータ配置情報のみを消去するという手法がとられている。例えば、記録ディスク１では、データ記憶部１２に書き込まれたデータは消去せず、データ配置記憶部１３のデータ配置情報のみが消去されるということである。これは、例えば、新しくデータを書き込む場合には、データ記憶部１２の中のデータ配置情報が無い記憶領域に上書きすれば良いので、わざわざデータ記憶部１２に書き込まれたデータを時間をかけて消去する必要はないという理由による。
【０００７】
図１３は、記録装置１でデータを消去する場合のデータ記憶部１２とデータ配置記憶部１３の一例を単純化して示した図である。
図１３の左側には、データ消去前のデータ記憶部１２とデータ配置記憶部１３を示し、図１３の右側には、データ消去後のデータ記憶部１２とデータ配置記憶部１３を示した。
【０００８】
データ記憶部１２は、記録ディスクであるので、記録トラックＴＲ０〜ＴＲ７を有しており、各トラックは、１トラックが各７個の最小の記録単位（記憶領域）であるセクタに分割されており、記録トラックＴＲ０〜ＴＲ７でセクタはセクタＳＣ０〜ＳＣ５５までとなっている。
【０００９】
データ配置記憶部１３には、データＤ１〜Ｄ７までの７個のデータの配置情報が記録されており、例えば、データＤ１は、トラックＴＲ０のセクタＳＣ０〜同トラックのセクタＳＣ５までに記録されている。また、例えば、データＤ５は、記録ディスク内でも連続しない記憶領域に分割されており、トラックＴＲ２のセクタＳＣ１９〜トラックＴＲ３のセクタＳＣ２４までと、トラックＴＲ６のセクタＳＣ４３〜同トラックのセクタＳＣ４７までに分割されて記録されている。
【００１０】
図１３の記録装置１で、例えば、左側のデータ消去前の図からデータＤ５を消去した場合には、右側のデータ消去後の図からわかるように、データ配置記憶部１３からはデータＤ５の配置情報のみが消去されているが、データ記憶部１２は、変化していない。図１３の右側のデータ消去後の図で、トラックＴＲ２のセクタＳＣ１９〜トラックＴＲ３のセクタＳＣ２４までと、トラックＴＲ６のセクタＳＣ４３〜同トラックのセクタＳＣ４７までに分割されて記録されたデータはそのまま残っている。
【００１１】
この図１３の右側のデータ消去後の図の状態の記録装置１のデータを、図１２の記録装置２にバックアップする場合には、データ記憶部１２内の、トラックＴＲ２のセクタＳＣ１９〜トラックＴＲ３のセクタＳＣ２４までと、トラックＴＲ６のセクタＳＣ４３〜同トラックのセクタＳＣ４７までに分割されて記録されたデータＤ５の記録内容は、バックアップする必要がないにもかかわらず、そのまま、記録装置１から読み出されて記録装置２に書き込まれる。
【００１２】
図１４は、従来の記録装置間でバックアップする場合の読み出し側及び書き込み側双方の使用状況記憶部とデータ記憶部のようすを示す図である。
図１４の左側には、データ読み出し側となる記録装置１のデータ記憶部１２とデータ配置記憶部１３を示し、図１４の右側には、データの書き込み側となる記録装置２のデータ記憶部２２とデータ配置記憶部２３を示す。
【００１３】
図１４では、データ配置記憶部１３および２３においてデータＤ５の配置情報は消去されていることから、左側の読み出し側のデータ記憶部１２中の、データＤ５が格納されたトラックＴＲ２のセクタＳＣ１９〜トラックＴＲ３のセクタＳＣ２４までと、トラックＴＲ６のセクタＳＣ４３〜同トラックのセクタＳＣ４７までは、使用されることはなく無効なデータである。つまり、データ記憶部１２中のセクタＳＣ１９〜セクタＳＣ２４およびセクタＳＣ４３〜セクタＳＣ４７中のデータは、配置情報は消去されてもデータとしては消去されずに存在しており、無効領域のデータとなる。
【００１４】
右側の書き込み側のデータ記憶部２２では、データ記憶部１２のデータがそのまま書き込まれるので、無効領域であるセクタＳＣ１９〜セクタＳＣ２４およびセクタＳＣ４３〜セクタＳＣ４７のデータも書き込まれる。
【００１５】
【発明が解決しようとする課題】
しかしながら、近年のマルチメディアやネットワークの普及から記録装置の大容量化の必要性が出てきており、そのため記録ディスクも大容量化されており、例えば、長期間使用した記録ディスク中の消去データ等の無効なデータの量は無視できない量に増加している。従って、バックアップ時には、その消去データの読み出しおよび書き込みに必要になる時間も増加して非常に長時間が必要になっている。バックアップ中は記録装置の能力が制限されたり、記憶装置を使えない場合が多いので、バックアップ時間が長くなることは問題である。
【００１６】
本発明は、上述した如き従来の問題を解決するためになされたものであって、消去データ等の無効なデータについてはバックアップ時に読み出しや書き込みを減少させてバックアップ時間の増加を抑制する記録装置を提供することを目的とする。
【００１７】
【課題を解決するための手段】
上述の目的を達成するため、請求項１に記載した本発明の記録ディスクを用いた記録装置は、複数の記録トラックを有し、各記録トラック内には複数の記憶領域が設けられたディスク形状の記憶媒体を用いてデータの書き込みと読み出しを実施するデータ記憶部と、書き込まれる各データのデータ記憶部内における最初と最後の記憶領域の配置情報を少なくとも格納するデータ配置記憶部と、データを書き込む際には、データ配置記憶部の配置情報を用いて前記配置情報に記録が無い記憶領域に書き込みを実施し、書き込んだデータの配置情報をデータ配置記憶部に格納すると共に、データを読み出す際には、データ配置記憶部の配置情報を用いてデータを読み出して信号線に送出する制御部とを少なくとも備える記録装置であって、データ記憶部内の各記憶領域について個別に、書き込まれたデータの存在が配置情報に示されている有効領域であるか、あるいは、配置情報の消去により書き込まれたデータが存在しても配置情報に示されていない無効領域であるかの使用状況情報を記憶領域の処理単位毎に少なくとも１ビットで格納する使用状況記憶部を備え、制御部は、データ記憶部に格納されたデータのバックアップ処理のための読み出し要求を受信した場合に、使用状況情報を用いて有効領域のみから読み出しを実施することを特徴とする。
【００１８】
また、請求項２の本発明は、請求項１に記載の記録ディスクを用いた記録装置において、使用状況記憶部は、データ記憶部の各記録トラックの並び順毎に、かつ、記憶領域の並び順毎にテーブル形式で各記憶領域の使用状況情報を格納することを特徴とする。
【００１９】
また、請求項３の本発明は、請求項１に記載の記録ディスクを用いた記録装置において、制御部は、読み出し要求を受信した場合に、読み出したデータの送出先に対して、使用状況情報を利用するか否かを問い合わせ、利用する場合には、要求されたデータを読み出して送出する前に、使用状況情報を送出することを特徴とする。
【００２０】
また、請求項４の本発明は、請求項３に記載の記録ディスクを用いた記録装置において、制御部は、使用状況情報を利用するか否かを問い合わせる際に、制御部から送出先に向けて使用状況情報を格納する要求を送出し、要求を受け入れる返信を受信した場合に利用すると判断することを特徴とする。
【００２１】
また、請求項５の本発明は、請求項３または４に記載の記録ディスクを用いた記録装置において、制御部は、送出先が使用状況情報を利用しないと判断した場合には、データを読み出して送出する際に、無効領域のデータについてはゼロフィルデータとすることを特徴とする。
【００２２】
また、請求項６の本発明は、請求項１に記載の記録ディスクを用いた記録装置において、通信相手の記録装置と直接に通信可能であるように信号線で接続され、通信相手に向けてバックアップ処理のための読み出し要求を送出する場合に、制御部は、通信相手に対して、使用状況情報を利用するか否かを問い合わせ、利用する場合には、要求するデータを受信する前に、使用状況情報を受信して使用状況記憶部に格納することを特徴とする。
【００２３】
また、請求項７の本発明は、請求項６に記載の記録ディスクを用いた記録装置において、制御部は、使用状況情報を利用するか否かを問い合わせる際に、制御部から通信相手に向けて使用状況情報を送出させる要求を送出し、要求を受け入れる返信を受信した場合に利用すると判断することを特徴とする。
【００２４】
また、請求項８の本発明は、請求項６または７に記載の記録ディスクを用いた記録装置において、制御部は、使用状況情報を用いて有効領域のみのデータを書き込むことを特徴とする。
【００２５】
また、請求項９の本発明は、請求項６〜８の何れかに記載の記録ディスクを用いた記録装置において、制御部は、受信したデータを書き込んだ後に、使用状況記憶部に受信したデータの使用状況情報を格納することを特徴とする。
【００２６】
また、請求項１０の本発明は、請求項６〜９の何れかに記載の記録ディスクを用いた記録装置において、制御部は、通信相手が前記使用状況情報を利用しない場合には、受信した全データを書き込むことを特徴とする。
【００２９】
また、請求項１１に記載した本発明の記録ディスクを用いた記録システムは、データをバックアップ処理のために読み出す側の記録装置と、データを書き込む側の記録装置と、双方の記録装置と信号線で接続された管理装置とから構成され、少なくともデータを読み出す側の記録装置が請求項１〜１０の何れかの記録装置である記録システムにおいて、管理装置は、データを読み出す側の記録装置に対して、使用状況情報を利用するか否かを問い合わせ、利用する場合には、データを送出する前に、使用状況情報を送出するように要求することを特徴とする。
【００３０】
また、請求項１２の本発明は、請求項１１に記載の記録ディスクを用いた記録システムにおいて、管理装置は、使用状況情報を利用するか否かを問い合わせる際に、管理装置からデータを読み出す側の記録装置に向けて使用状況情報を送出する要求を送出し、要求を受け入れる返信を受信した場合に利用すると判断することを特徴とする。
【００３１】
また、請求項１３の本発明は、請求項１１または１２に記載の記録ディスクを用いた記録システムにおいて、管理装置は、データを読み出す側の記録装置が使用状況情報を利用する場合には、該記録装置に対して、使用状況情報を用いて有効領域のみから読み出すように要求し、
データを読み出す側の記録装置が使用状況情報を利用しない場合には、該記録装置に対して、全記憶領域を読み出すように要求する
ことを特徴とする。
【００３２】
また、請求項１４の本発明は、請求項１１に記載の記録ディスクを用いた記録システムにおいて、管理装置は、バックアップ処理のためのデータを書き込む側の記録装置に対して、使用状況情報を利用するか否かを問い合わせ、利用する場合には、該記録装置にデータを送出する前に、使用状況情報を送出することを特徴とする。
【００３３】
また、請求項１５の本発明は、請求項１４に記載の記録ディスクを用いた記録システムにおいて、管理装置は、使用状況情報を利用するか否かを問い合わせる際に、管理装置からデータを書き込む側の記録装置に向けて使用状況情報を格納する要求を送出し、要求を受け入れる返信を受信した場合に利用すると判断することを特徴とする。
【００３４】
また、請求項１６の本発明は、請求項１４または１５に記載の記録ディスクを用いた記録システムにおいて、管理装置は、バックアップ処理のためのデータを書き込む側の記録装置が使用状況情報を利用する場合には、該記録装置に対して、使用状況情報を用いて有効領域のみを書き込むように要求し、データを書き込む側の記録装置が使用状況情報を利用しない場合には、該記録装置に対して、全記憶領域を書き込むように要求することを特徴とする。
【００３５】
また、請求項１７の本発明は、請求項１６に記載の記録ディスクを用いた記録システムにおいて、管理装置は、受信した使用状況情報を格納する使用状況中間記憶部を有し、バックアップ処理のためのデータを書き込む側の記録装置が使用状況情報を利用しない場合には、受信したデータを送出する際に、無効領域についてはゼロフィルデータとすることを特徴とする。
【００３６】
また、請求項１８の本発明は、請求項１６または１７に記載の記録ディスクを用いた記録システムにおいて、管理装置は、書き込む側の記録装置が使用状況情報を利用する場合には、該書き込む側の記録装置にバックアップ処理のためのデータを書き込ませた後に、該データの使用状況情報を格納させることを特徴とする。
【００３７】
また、請求項１９の本発明は、請求項１８に記載の記録ディスクを用いた記録システムにおいて、管理装置は、書き込む側の記録装置にバックアップ処理のためのデータを書き込む処理が、該データについての初回の書き込みである場合には、使用状況情報を使用しないで受信した全データを書き込ませることを特徴とする。
【００３８】
また、請求項２０に記載した本発明の記録ディスクを用いた記録装置のバックアップ方法は、複数の記憶領域が設けられたディスク形状の記憶媒体（記録ディスク）を有し、該記憶媒体に書き込まれる各データの最初と最後の記憶領域の配置情報を少なくとも用いてデータを書き込みあるいは読み出すと共に、各記憶領域毎に、書き込まれたデータの存在が配置情報に示されている有効領域であるか、あるいは、配置情報の消去により書き込まれたデータが存在しても配置情報に示されていない無効領域であるかを示す使用状況情報を前記記憶領域の処理単位毎に少なくとも１ビットで格納する記録装置を、少なくとも読み出し側の記録装置として用いる場合に、該記録装置から他の記録装置へデータをバックアップする方法であって、読み出し側の記録装置は、バックアップのために記録ディスクの読み出し要求を受信した場合に、使用状況情報を用いて前記有効領域のみから読み出しを実施することを特徴とする。
【００４２】
また、請求項２１に記載した記録ディスクを用いた記録システムのバックアップ方法は、複数の記憶領域が設けられたディスク形状の記憶媒体（記録ディスク）を有し、該記憶媒体に書き込まれる各データの最初と最後の記憶領域の配置情報を少なくとも用いてデータを書き込みあるいは読み出すと共に、各記憶領域毎に、書き込まれたデータの存在が配置情報に示されている有効領域であるか、あるいは、配置情報の消去により書き込まれたデータが存在しても配置情報に示されていない無効領域であるかを示す使用状況情報を前記記憶領域の処理単位毎に少なくとも１ビットで格納する記録装置を、少なくとも読み出し側の記録装置として用い、該記録装置から他の記録装置への信号線の途中に管理装置を備える記録システムで、データをバックアップする方法であって、管理装置は、読み出し側の記録装置の記録ディスクのデータをバックアップする場合、該読み出し側の記録装置に対して、使用状況情報を用いて有効領域のみから読み出すように指示することを特徴とする。
【００４６】
【発明の実施の形態】
以下、本発明を図示した実施形態に基づいて説明する。
図１は、本発明の実施形態の記録装置および記録システムの概略構成を示すブロック図である。
尚、図１において、図１２に示した従来の記録装置および記録システムと同じ機能の部分については同じ符号を付し、重複する説明を省略する。
【００４７】
図1に示した実施形態の記録装置及び記録システムが図１２に示した従来の記録装置及び記録システムと異なる主な点は、以下の各点である。
【００４８】
（１）記録装置４１、４２のデータ記憶部１２、２２の各記憶領域が、配置情報にデータの書き込み記録等によってデータの存在が示された有効領域であるか、あるいは、配置情報にデータの存在が示されない無効領域であるかを個別に示す使用状況情報を格納する使用状況記憶部５２、６２を備える点。
【００４９】
（２）記録装置４１、４２の制御部５１、６１は、データ記憶部１２、２２に格納されたデータの読み出し要求を受信した場合に、使用状況記憶部５２、６２の使用状況情報を用いて有効領域のみを選択して読み出し、無効領域については読み出さない点。
【００５０】
（３）例えば、管理装置４３を介して、記録装置４１のデータを記録装置４２にバックアップする場合に、管理装置４３は、バックアップ時にデータを読み出す側の記録装置４１に対して、使用状況情報を用いて有効領域のみを選択して読み出す処理が可能であるか否かを問い合わせ、選択して読み出す処理が可能である場合には、データ記憶部１２内からデータを読み出して送出する前に、使用状況記憶部５２に記憶された使用状況情報を送出するように要求し、その使用状況情報を格納する使用状況中間記憶部６５を備える点。
【００５１】
また、従来の記録装置及び記録システムにおいても実施されるが、本実施形態の記録装置でも実施される主な点は、以下の各点である。
【００５２】
（ａ）各記録装置４１、４２は、バックアップ時に、記憶された各データがデータ記憶部１２、２２内の何れの記憶領域に書き込まれたかを示すために、少なくとも記憶されたデータの最初と最後の記憶領域の配置情報を格納するデータ配置記憶部１３、２３を有している点。
【００５３】
（ｂ）制御部５１、６１は、データを書き込む際には、データ配置記憶部１３、２３に格納された配置情報を用いて、その配置情報に書き込み記録等によってデータの存在が示されないデータ記憶部１２、２２内の無効領域に書き込みを実施し、書き込み後に書き込んだデータのデータ記憶部１２、２２における少なくとも最初と最後の記憶領域のアドレスを含む配置情報をデータ配置記憶部１３、２３に格納する。また、制御部５１、６１は、データを通常に読み出す際には、データ配置記憶部１３、２３の配置情報を用いて、その配置情報に書き込み記録が有るデータ記憶部１２、２２内の有効領域からデータを読み出し、信号線を介してデータを送出する点。
【００５４】
なお、バックアップ時に、バックアップ処理全体の制御は、バックアップ元の記憶装置が主体で制御する場合と、バックアップ先の記憶装置が主体で制御する場合と、バックアップ元の記憶装置とバックアップ先の記憶装置との間にある管理装置が主体で制御する場合の３種類がある。本実施形態では、基本的に、管理装置を用いる場合には、バックアップ処理全体の制御は管理装置が主体で制御し、管理装置を用いずに記憶装置間で直接にバックアップ処理する場合には、バックアップ処理全体の制御はバックアップ元の記憶装置が主体で制御することとする。但し、バックアップ処理全体の制御をバックアップ先の記憶装置が主体で制御しても良く、その場合には、バックアップ元の記憶装置をバックアップ先の記憶装置に読み替えれば良い。
ここで、本発明の有効性をさらに詳しく説明するために、本実施形態で使用される記録ディスクの一例として、ハードディスク装置の記憶領域およびデータ配置について説明する。
【００５５】
図２は、ハードディスク装置のディスクとヘッド周辺の概略構成を示す図である。
図２のハードディスク装置７０において、７１は、外周を覆って内部部品を保護する筐体である。８０は、磁気ヘッド８３（後述）を移動させるアーム８２（後述）を駆動するためのアクチュエータである。８１は、アーム８２を回動させる際の軸部であり、８２は、磁気ヘッド８３を保持して移動させるアームであり、８３は、記録媒体である磁気記録ディスクに記録情報（データ等）を書き込んだり読み出したりする磁気記録／再生ヘッド（以下、磁気ヘッドと記載）である。磁気ヘッド８３は、アクチュエータ８０がアーム８２を駆動させることで、矢印Ａの方向に移動する。
【００５６】
９０は、矢印Ｂの方向に回転して記録情報を記録する記録媒体となる磁気記録ディスク（以下、ディスクと記載）であり、９１は、ディスク９０の軸となるスピンドルである。矢印Ｂの方向に回転するディスク９０には、同心円状に複数の記録トラックが設けられており、外周側から内周側に向かって順にトラックＴＲ０，ＴＲ１，ＴＲ２，ＴＲ３，〜，ＴＲ７とする。最外周のトラックＴＲ０は、例えば、ファイル等の記録情報を管理するためのオペレーションシステム（ＯＳ）が使用する領域である。次のトラックＴＲ１は、例えば、ＭＳ−ＤＯＳの場合、ファイルやディレクトリ等の記録情報を、ディスク内の物理的な配置（例えば、セクタ等）に対応させるための一覧表（ファイルアロケーションテーブル：ＦＡＴ）が使用する領域である。トラックＴＲ２は、例えば、ＭＳ−ＤＯＳの場合、ファイルの名前、属性、最新更新日時、ファイルサイズ、階層構造等を示すディレクトリで使用する領域である。従って、トラックＴＲ０〜ＴＲ２までは、記録情報の管理に使用されている。また、ＯＳがＭＳ−ＤＯＳではなく、例えば、ＵＮＩＸ（登録商標）系のＬＩＮＵＸの場合には、ｉ−ｎｏｄｅ方式と称されるファイルシステムを用いるが、この場合でも一部のトラックを管理に使用する点では同様である。
【００５７】
トラックＴＲ３〜ＴＲ７までが、データ領域であり、ここにファイル等の記録情報が書き込まれる。１トラック中の記憶領域は、セクタと称される物理的な最小のアクセス単位に分割されている。また、数個のセクタで１つのクラスタ（ＣＬ）を形成しており、１つまたは複数のクラスタ（ＣＬ）で１つのファイルが形成される。
【００５８】
一般的に、ハードディスク装置で情報を書き込みあるいは読み込む場合、最も時間がかかるのが、磁気ヘッド８３を矢印Ａの方向に移動させて目的の情報の記録箇所を探す動作、いわゆるシーク時間であり、ハードディスク装置で書き込みあるいは読み込みのスピードアップを考慮する場合、シーク時間の短縮が最も重要な課題となる。
【００５９】
ハードディスク装置間で全データをバックアップする場合には、例えば、シーク時間を短縮するために、記録内容に関係なく、外周側の記録トラックＴＲ０から順に内周側の記録トラックＴＲ７に向かって、各トラックに設けられた記憶領域のデータを順に読み出すという手法をとって、磁気ヘッド８３の移動時間を減少させる場合がある。
【００６０】
図３は、図２のディスク装置７０の磁気記録ディスク９０の記録面を示す図である。
図２にも示したように、矢印Ｂの方向に回転するディスク９０には、同心円状に外周側から内周側に向かって順に複数の記録トラックＴＲ０〜ＴＲ７が設けられており、最外周のトラックＴＲ０の物理的な最小のアクセス単位であるセクタを、図３の最上部から時計回りに順にセクタＳＣ０，ＳＣ１，ＳＣ２，ＳＣ３，〜とする。また、数個のセクタで１つのクラスタ（ＣＬ）を形成し、１つまたは複数のクラスタ（ＣＬ）で１つのファイルが形成されるわけであるが、図３には特に図示していない。
【００６１】
図４は、図２のハードディスク装置７０の磁気記録ディスク９０の使用法の一例を示す図である。
この図４では、ディスク９０の記憶領域（クラスタ：ＣＬ１〜ＣＬ４）を連続して使用する場合を示している。一般的にディスク９０にデータを記録する場合で、最初にディスク９０使用する時には図４のように１個の記録トラックの記憶領域に連続してデータが記録されるが、使用を継続すると、記憶領域のうちの空き領域が虫食い状になり、記録情報は断続的に記録（書き込み）される。
【００６２】
また、図４と後述する図５では、便宜上からトラックＴＲ０〜ＴＲ７というトラック名称で、ＴＲ０にＯＳ、ＴＲ１にＦＡＴ、ＴＲ３にディレクトリ等としたが、図１３および図１４等のトラックＴＲ０〜ＴＲ７と対応しているわけではなく、図１３および図１４のトラックは全て通常のＤＡＴＡ記憶領域である。
【００６３】
図５は、図４のディスク９０が断続的（不連続）になった場合の一例を示す図である。
ディスク９０の使用初期には、例えば、図４に示されたようにトラックＴＲ３内の隣接するクラスタに連続して書き込みできたものが、図５では、トラックＴＲ３にクラスタＣＬ１、トラックＴＲ５にクラスタＣＬ２、トラックＴＲ４にクラスタＣＬ３、および、トラックＴＲ６にクラスタＣＬ４が書き込まれている。このように、１つのファイルのクラスタがディスク装置２１上で不連続に書き込まれる場合、同一トラックに連続して書き込む場合よりも磁気記録／再生ヘッドを移動させるシーク時間が余分に必要になる。
【００６４】
上記したハードディスク装置間で全データをバックアップする場合で、外周側の記録トラックＴＲ０から順に内周側の記録トラックＴＲ７に向かって各記憶領域のデータを順に読み出す場合には、磁気ヘッド８３の移動時間が隣接するトラックまでの最小時間となるので、シーク時間を短縮させることができるのである。
【００６５】
また、磁気ヘッド８３は、例えば、読み出し時に１記録トラックについて１周分の時間だけその記録トラック上に停止すればよいわけではなく、例えば、２回読み出して、制御部で読み出し結果を照合したり、外部に送出する場合は、送出結果を再受信して照合するといった確認作業が必要になり、その間は磁気ヘッド８３が同じ記録トラック上に停止するため、記録トラック上で使用される記憶領域が多くなれば、その分だけ、読み出し時間も余分に必要になる。
【００６６】
また、書き込み処理の場合も読み出し処理の場合と同様であり、書き込みされる記憶領域が多くなれば、その分だけ、書き込み時間も余分に必要になる。さらに、一般的に、書き込み処理は、読み出し処理よりも時間がかかる処理であるため、同じ記録トラックの使用量であっても、読み出しよりも書き込みの方が時間が多く必要である。
【００６７】
ところが、図１３に示したように、不要になったファイル等を削除しても、データの配置情報は消去されるものの、データ記憶部１２に書き込まれたデータはそのまま残っており、バックアップ時にはデータ配置記憶部１３の配置情報は参照されないので、図１４に示したように、不要であるにもかかわらずデータＤ５の内容もそのままバックアップされてしまう。
【００６８】
長期間の使用中には、ディスク９０の使用量は増加し、不要になり削除される記憶領域も増加する。最近のように、１台のハードディスク装置の記録容量が数十Ｇ（ギガ）バイト以上に増加してくると、バックアップ時に転送されるデータ量も増加するが、上記下理由から同時に削除されて本来転送する必要のないデータ量も増加してしまう。
【００６９】
業務用に使用されている大型の記録装置や記録システムでは、その日に記憶されたデータを他の記録装置等に転送するバックアップは、通常業務終了後に担当者が数十分や数時間かけて実施したり、担当者の手をわずらわせなくとも記録装置や管理装置のみで自動的にできる場合には、業務終了後の信号線の使用頻度が減少する夜間に数十分や数時間かけて転送されることもあるが、何れの場合であってもデータ量が増加すれば転送時間も増加し、その結果、記録装置や管理装置等の使用時間や通信時間が増加し、バックアップに必要な時間とコストが増加する。
【００７０】
従って、例えば、図１４に示した記録装置１から記録装置２へのデータのバックアップで、データ記憶部１２の記憶内容の内で、データＤ５に対応するデータの転送をしないようにできれば、その装置および方法を大容量の記録装置間のデータのバックアップ時に適用した場合には、大幅に時間とコストを削減することができる。
【００７１】
上記した観点から、本実施形態では、まず、図１に示したように、記録装置内にデータ記憶部１２、２２内の無効な記憶領域を判別できるように、データ記憶部１２の各記憶領域に個別対応した使用状況（有効領域／無効領域）の情報が格納される使用状況記憶部５２、６２を設けた。
【００７２】
図６は、使用状況記憶部５２、６２に格納される使用状況情報の一例を示す図である。
図６では、横列が各トラックを示し、縦列が最小記憶領域であるセクタ毎になっているが、処理単位がもっと大きい、例えば、クラスタ毎であれば、処理単位に合わせて縦列をクラスタ毎としても良い。また、データ記憶部１２、２２の場合には、各セクタの容量は数百バイト（５１２バイト等）が必要であるが、使用状況記憶部５２、６２の場合には、そのセクタが有効であるか無効であるかを示すために最低１ビット有れば良いので、記憶容量の増加は、全容量に対する比を考慮すると少なくてすむ。例えば、１セクタに１ビット必要であれば、１Ｇビットの容量毎に１Ｇ（１００００００ｋ）ビット／５１２／８＝２６３ｋビットですむので、フラッシュメモリ等の不揮発性の半導体記憶素子や、図４あるいは図５等に示したハードディスク上のＦＡＴ領域等に充分に格納させることができる容量である。
【００７３】
図６では、左側が、図１３の左側に示したようにデータＤ５の消去を実施する前の記録装置１における使用状況記憶部５２の一例であり、右側が、図１３の右側に示したようにデータＤ５の消去を実施した後の記録装置１における使用状況記憶部５２の一例である。
【００７４】
図６の左側では、トラックＴＲ７の最後の３個のセクタＳＣ５３〜５５を除く全てのセクタが「１」であり、使用中あるいは有効セクタであることを示している。ところが、図６の右側では、セクタＳＣ５３〜５５だけでなく、トラックＴＲ２のセクタ１９〜２０、トラックＴＲ３のセクタ２１〜２４、および、トラックＴＲ６のセクタＳＣ４３〜４７も「０」になっており、それらのセクタが不使用あるいは無効セクタであることがわかる。
【００７５】
また、使用状況記憶部５２の情報は、データ記憶部１２の各記録トラックの並び順毎であり、かつ、その各トラック中で記憶領域であるセクタの並び順毎にテーブル形式になっている。従って、使用状況記憶部５２からは、各トラック毎に記憶領域の並び順に、使用状況の情報を読み出すことができる。
【００７６】
従って、記録装置４１は、バックアップ時に図６の右側の使用状況記憶部５２の使用状況情報を利用すれば、データ記憶部１２内の不使用（無効領域）のデータを読み出さないようにすることができる。
【００７７】
また、図１のようにバックアップ先の記録装置４２も使用状況記憶部６２を有している場合なら、記録装置４１が実際のデータのバックアップを開始する前に、使用状況記憶部５２の使用状況情報を転送しておけば、記録装置４２側でもデータ記憶部２２内の不使用（無効領域）のデータは書き込まないようにすることができる。
【００７８】
上記した使用状況情報を用いるバックアップを記録装置４１と記録装置４２の間で実施する場合には、制御部５１および制御部６１で、通常の処理を実施するための要求制御信号（指示信号）に加えて、新たな処理を実施するための要求制御信号が必要になると考えられる。
【００７９】
図７は、制御部５１等で必要になると考えられる要求制御信号を示す図である。
記憶領域使用状況一括クエリー要求制御信号３１とは、例えば、バックアップ時の書き込み先が読み出し元に対して、使用状況情報を用いて有効領域のみを選択して読み出す処理が可能であるか否かを判断する要求制御信号である。
【００８０】
例えば、図１で記録装置４１から記録装置４２にデータをバックアップする場合とすると、バックアップデータを受け取る側あるいは書き込む側の記録装置４２が本実施形態の使用状況情報を用いる記録装置である場合で、記録装置４２が先にバックアップデータの読み出し側（送出元）が使用状況情報を用いる記録装置であるか否かを問い合わせたい場合に使用する要求制御信号である。
【００８１】
つまり、記憶領域使用状況一括クエリー要求制御信号３１で、制御部６１から読み出し元の記録装置４１に向けて使用状況情報を送出するように要求制御信号で問い合わせ（要求）を送出し、要求を受け入れる返信を受信した場合には、相手先も使用状況情報を用いる記録装置であることが判断できるが、要求が受け入れられない場合には、通常はエラー応答を受信することで相手先は使用状況情報を用いない記録装置であることになる。
【００８２】
記録装置４２は、バックアップデータの読み出し側（相手先）が本実施形態の使用状況情報を用いる記録装置である場合には、先に使用状況情報を入手して有効領域のみをデータ記憶部２２に書き込むが、そうでなければ、全記憶領域を書き込むことになる。
【００８３】
記憶領域使用状況一括セット要求制御信号３２とは、例えば、バックアップ時の読み出し元が書き込み先に対して、使用状況情報を用いて有効領域のみを選択して読み出す処理が可能であるか否かを判断する要求制御信号である。
【００８４】
例えば、図１で記録装置４１から記録装置４２にデータをバックアップする場合とすると、バックアップデータを送出する側あるいは読み出す側の記録装置４１が本実施形態の使用状況情報を用いる記録装置である場合で、記録装置４１が先にバックアップデータの書き込み側（受信先）が使用状況情報を用いる記録装置であるか否かを問い合わせたい場合に使用する要求制御信号である。
【００８５】
つまり、記憶領域使用状況一括セット要求制御信号３２で、制御部５１から書き込み先の記録装置４２に向けて使用状況情報を設定（セット）して格納するように要求制御信号で要求を送出し、要求を受け入れる返信を受信した場合には、相手先も使用状況情報を用いる記録装置であることが判断できるが、要求が受け入れられない場合には、通常はエラー応答を受信することで相手先は使用状況情報を用いない記録装置であることになる。
【００８６】
記録装置４１は、バックアップデータの書き込み側（相手先）が本実施形態の使用状況情報を用いる記録装置である場合には、先に使用状況情報を送出して有効領域のみをデータ記憶部１２から読み出してそのまま送出できるが、相手先も使用状況情報を用いる記録装置でない場合には、データ記憶部１２内から読み出した無効領域にゼロフィルデータを埋め込んで送出することになる。しかし、全記憶領域を読み出す必要はない。
【００８７】
バックアップ用データ書き込み要求制御信号３３とは、例えば、バックアップ時の書き込み先の記録装置４２において、読み出し元から記憶領域使用状況一括セット要求制御信号３２を受信することで、読み出し元が使用状況情報を用いて有効領域のみを選択して読み出せることが判断できた場合に、選択してから書き込むようにする要求制御信号である。読み出し元が有効領域のみを選択できない場合には、通常の書き込み要求制御信号により書き込まれる。
【００８８】
データ読み出し要求制御信号３４とは、通常のデータ読み出し用のリード要求制御信号である。例えば、バックアップ時の読み出し元の記録装置４１において、書き込み先から記憶領域使用状況一括クエリー要求制御信号３１を受信することで、書き込み先が使用状況情報を用いて有効領域のみを選択して書き込めることが判断できた場合に、後述する記憶領域使用状況参照可否切替要求制御信号３６と共に本データ読み出し要求制御信号３４を用いることで、選択して読み出したデータを送出することができる要求制御信号である。本データ読み出し要求制御信号３４は、相手先が有効領域のみを選択できない場合には、通常通りの選択せずに読み出しを実施する。
【００８９】
特定記憶領域の使用状況セット要求制御信号３５は、使用状況記憶部５２の内部の各記憶領域（セクタ）について、個別に使用中（有効領域）であることを示す「１」と、不使用（無効領域）であることを示す「０」とを設定する要求制御信号である。図６のデータＤ５を消去する場合のセクタＳＣ１９〜２４およびＳＣ４３〜４７を、左側の図の「１」から右側の図の「０」に変更する処理はこの要求制御信号で実施される。
【００９０】
記憶領域使用状況参照可否切替要求制御信号３６は、例えば、バックアップ時の書き込み先の記録装置４２において、読み出し元から記憶領域使用状況一括クエリー要求制御信号３１に対する応答を受信できずエラー応答を受信した場合、相手先（記録装置４１）は使用状況情報を用いない記録装置であることになるので、以降の処理では、使用状況記憶部６２に格納された記憶領域使用状況の情報を参照しないようにして処理を効率化する要求制御信号である。
【００９１】
図８は、本実施形態の記録装置間でバックアップする場合の読み出し側及び書き込み側双方の使用状況記憶部とデータ記憶部のようすを示す図である。
図８の左側は、データ読み出し側であり、図の上では図１４に示した従来の記録装置１のデータ記憶部１２とデータ配置記憶部１３のようすと同様であるが、読み出し処理としては、データＤ５についてのトラックＴＲ２のセクタＳＣ１９〜トラックＴＲ３のセクタＳＣ２４までと、トラックＴＲ６のセクタＳＣ４３〜同トラックのセクタＳＣ４７までは読み出さない。
【００９２】
図８の右側は、データの書き込み側であり、データＤ５についてのトラックＴＲ２のセクタＳＣ１９〜トラックＴＲ３のセクタＳＣ２４までと、トラックＴＲ６のセクタＳＣ４３〜同トラックのセクタＳＣ４７までは、データ記憶部２２には書き込まれていない。
【００９３】
次に、図９〜図１１のフローチャートを参照して本実施形態の動作を説明する。
図９は、バックアップ時の読み出し側の記録装置の動作フローチャートである。
なお、以下の図９〜図１１の説明では、図１の記録装置４１から記録装置４２にデータをバックアップする場合について説明する。
【００９４】
まず、記録装置４１は、自記録装置４１内のタイマー設定、外部からのバックアップ指示要求制御信号の受信、あるいは、書き込み側記録装置４２からの記憶領域使用状況一括クエリー要求制御信号３１の受信等により、バックアップが要求されているか否かを判断する（Ｓ１）。バックアップが要求されている場合（Ｓ１：ＹＥＳ）には、記録装置４１は、送出経路が使用状況情報の送受信に対応しているか否かを問い合わせ（Ｓ２）、書き込み先が使用状況情報を用いて有効領域のみを選択して書き込める記録装置であるか否かを判断する（Ｓ３）。バックアップが要求されていない場合（Ｓ１：ＮＯ）には、記録装置４１は、再度ステップＳ１に戻りバックアップが要求されているか否かを判断する処理を繰り返す。
【００９５】
ステップＳ２は、例えば、図１の管理装置４３と信号線６および７を介してバックアップ用のデータを間接的に送信する場合には、記録装置４１において必要になる判断であるが、図１の信号線５を介して直接的に送信する場合には必要ない処理である。ステップＳ３は、記録装置４１において上記した間接的に送信する場合でも直接的に送信する場合でも必要となる判断である。
【００９６】
送出経路が使用状況情報の送受信に対応しているか否かの判断方法としては、記録装置４１が記憶領域使用状況一括クエリー要求制御信号３１を受信したか、あるいは、記録装置４１が自発的にバックアップする場合等には、制御部５１から記憶領域使用状況一括セット要求制御信号３２を送出して記録装置４１がエラー応答ではなく正常応答を得ることで判断することができる。書き込み先が有効領域のみを選択して書き込める記録装置であるか否かの判断方法としては、直接的な送信では、上記した送出経路判断が共用されるが、間接的な送信では、例えば、図１の管理装置４３による判断結果を記録装置４１が待つことになる。管理装置４３による判断結果については、図１１を用いて後述する。
【００９７】
送出経路が使用状況情報の送受信に対応していない場合（Ｓ２：ＮＯ）、あるいは、書き込み先が有効領域のみを選択して書き込める記録装置ではない場合（Ｓ３：ＮＯ）の少なくとも一方にあてはまる場合には、記録装置４１は、制御部５１でデータ読み出し要求制御信号３４を実施し、使用状況記憶部５２から読み出した使用状況情報を参照して制御部５１で選択処理を実施してから、データ記憶部１２からデータを読み出し（Ｓ７）、さらに、使用状況記憶部５２のデータを使って、無効領域のデータをゼロフィルデータにして（Ｓ８）、読み出したバックアップデータを送出する（Ｓ６）。なお、ステップＳ７では、使用状況記憶部５２のデータはトラック毎かつ記憶領域（セクタ）毎に順番になっているので、通常のバックアップ時における読み出しのヘッドの動きと同様にできるため、シーク時間が余分に必要にならない。
【００９８】
送出経路が使用状況情報の送受信に対応しており（Ｓ２：ＹＥＳ）、書き込み先が有効領域のみを選択して書き込める記録装置である場合（Ｓ３：ＹＥＳ）には、記録装置４１は、使用状況記憶部５２から使用状況情報（データ）を読み出して記録装置４２に送出する（Ｓ４）。なお、この時点までに、記録装置４１の制御部５１から記憶領域使用状況一括セット要求制御信号３２が送出されていない場合には、事前に送出しておく。そして、記録装置４１の制御部５１では、データ読み出し要求制御信号３４が実施され、使用状況記憶部５２のデータを参照して、データ記憶部１２から有効領域のみを選択処理してからデータを読み出し（Ｓ５）、読み出したバックアップデータを送出する（Ｓ６）。
【００９９】
図１０は、バックアップ時の書き込み側の記録装置の動作フローチャートである。
まず、記録装置４２は、自記録装置４２内のタイマー設定、外部からのバックアップ指示要求制御信号の受信、あるいは、読み出し側記録装置４１からの記憶領域使用状況一括セット要求制御信号３２の受信等により、バックアップが要求されているか否かを判断する（Ｓ２１）。バックアップが要求されている場合（Ｓ２１：ＹＥＳ）には、記録装置４２は、送出経路が使用状況情報の送受信に対応しているか否かを問い合わせ（Ｓ２２）、読み出し元が使用状況情報を用いて有効領域のみを選択して読み出せる記録装置であるか否かを判断する（Ｓ２３）。バックアップが要求されていない場合（Ｓ２１：ＮＯ）には、記録装置４２は、再度ステップＳ２１に戻りバックアップが要求されているか否かを判断する処理を繰り返す。
【０１００】
ステップＳ２２は、例えば、図１の管理装置４３と信号線６および７を介して間接的にバックアップ用のデータを送信する場合には記録装置４２において必要になる判断であるが、図１の信号線５を介して直接的に送信する場合には必要ない処理である。ステップＳ２３は、上記した間接的に送信する場合でも直接的に送信する場合でも記録装置４２において必要となる判断である。
【０１０１】
送出経路が使用状況情報の送受信に対応しているか否かの判断方法としては、記憶領域使用状況一括セット要求制御信号３２を記録装置４２が受信したか、あるいは、自発的にバックアップする場合等には制御部６１から記憶領域使用状況一括クエリー要求制御信号３１を記録装置４２が送出してエラー応答ではなく正常応答が得られることで判断することができる。読み出し元が有効領域のみを選択して読み出せる記録装置であるか否かの判断方法としては、直接的な送信では、上記した送出経路判断が共用されるが、間接的な送信では、例えば、図１の管理装置４３による判断結果を記録装置４２が待つことになる。管理装置４３による判断結果については、図１１を用いて後述する。
【０１０２】
送出経路が使用状況情報の送受信に対応していない場合（Ｓ２２：ＮＯ）、あるいは、読み出し元が有効領域のみを選択して読み出せる記録装置ではない場合（Ｓ２３：ＮＯ）の少なくとも一方にあてはまる場合には、まず、記録装置４２の制御部５１からは通常の読み出し要求が送出され、記憶領域使用状況参照可否切替要求制御信号３６で、使用状況情報を参照しないようにして無駄な処理時間を減らし、受信した全データをデータ記憶部２２に書き込む（Ｓ２６）。
【０１０３】
送出経路が使用状況情報の送受信に対応しており（Ｓ２２：ＹＥＳ）、読み出し元が有効領域のみを選択して読み出せる記録装置である場合（Ｓ２３：ＹＥＳ）には、記録装置４２は、記録装置４１から受信した使用状況情報を使用状況記憶部６２に書き込む（Ｓ２４）。なお、この時点までに、記録装置４２の制御部６１から記憶領域使用状況一括クエリー要求制御信号３１が送出されていない場合には、事前に送出しておく。そして、記録装置４２の制御部６１では、バックアップ用データ書き込み要求制御信号３３が実施され、使用状況記憶部６２のデータを参照して、データ記憶部２２から有効領域のみを選択処理してからデータをデータ記憶部２２に書き込む（Ｓ２５）。なお、ステップＳ２５では、記録装置４２の使用状況記憶部６２のデータはトラック毎かつ記憶領域（セクタ）毎に順番になっているので、通常のバックアップ時における書き込みのヘッドの動きと同様にできるため、シーク時間が余分に必要にならない。
【０１０４】
そして、記録装置４２は、データを書き込んだ記憶領域については有効領域として新たな使用状況情報を使用状況記憶部６２に格納（設定）する（Ｓ２７）。これにより、次に、記録装置４２からバックアップデータを送出する場合には、本実施形態の高速バックアップを実施することができる。
【０１０５】
図１１は、バックアップ時の経路にある管理装置の動作フローチャートである。
まず、管理装置４３は、自管理装置４３内のタイマー設定、外部からのバックアップ指示要求制御信号の受信、書き込み側記録装置４２からの記憶領域使用状況一括クエリー要求制御信号３１の受信、あるいは、読み出し側記録装置４１からの記憶領域使用状況一括セット要求制御信号３２の受信等により、バックアップが要求されているか否かを判断する（Ｓ４１）。バックアップが要求されている場合（Ｓ４１：ＹＥＳ）には、管理装置４３は、読み出し側記録装置４１からの送出経路が使用状況情報の送受信に対応しているか否かを問い合わせ（Ｓ４２）、読み出し元が使用状況情報を用いて有効領域のみを選択して読み出せる記録装置であるか否かを判断する（Ｓ４３）。バックアップが要求されていない場合（Ｓ４１：ＮＯ）には、管理装置４３は、再度ステップＳ４１に戻りバックアップが要求されているか否かを判断する処理を繰り返す。
【０１０６】
ステップＳ４２は、例えば、図１の信号線６の途中に何らかの中継装置が存在し、その中継装置を介して間接的に送信する場合には管理装置４３で必要になる判断であるが信号線６が直接的に送信する場合には管理装置４３で必要ない処理である。ステップＳ４３は、上記した間接的に送信する場合でも直接的に送信する場合でも管理装置４３で必要となる判断である。
【０１０７】
読み出し側記録装置４１からの送出経路が使用状況情報の送受信に対応しているか否かの判断方法としては、記憶領域使用状況一括セット要求制御信号３２を管理装置４３が受信したか、あるいは、自発的にバックアップする場合等には、管理装置４３から読み出し側記録装置４１に向けて記憶領域使用状況一括クエリー要求制御信号３１を送出してエラー応答ではなく正常応答が管理装置４３で得られることで判断することができる。読み出し元が有効領域のみを選択して読み出せる記録装置であるか否かの判断方法としては、直接的な送信では、上記した送出経路判断が共用されるが、間接的な送信では、経路中に存在する中継装置による判断結果を管理装置４３が待つことになる。
【０１０８】
読み出し側記録装置４１からの送出経路が使用状況情報の送受信に対応していない場合（Ｓ４２：ＮＯ）、あるいは、読み出し元が有効領域のみを選択して読み出せる記録装置ではない場合（Ｓ４３：ＮＯ）の少なくとも一方にあてはまる場合には、管理装置４３は、読み出し側記録装置４１に向けて通常の読み出し要求（全データ読み出し要求）を送出する（Ｓ５０）。
【０１０９】
管理装置４３では、読み出し側記録装置４１から受信した全データに対して、例えば、通常のデータバックアップ用データ書き込み要求制御信号が実施され、全データを不図示のデータ中間記憶部に書き込む。
【０１１０】
読み出し側記録装置４１からの送出経路が使用状況情報の送受信に対応しており（Ｓ４２：ＹＥＳ）、読み出し元が有効領域のみを選択して読み出せる記録装置である場合（Ｓ４３：ＹＥＳ）には、管理装置４３は、記録装置４１から受信した使用状況情報を使用状況中間記憶部６５に書き込む（Ｓ４４）。なお、この時点までに、管理装置４３から読み出し側記録装置４１に向けて記憶領域使用状況一括クエリー要求制御信号３１が送出されていない場合には、管理装置４３は事前に送出しておく。そして、管理装置４３は、読み出し側記録装置４１に向けてデータ読み出し要求制御信号３４を送出して、記録装置４１に記憶領域使用状況を参照して選択処理してからデータを読み出させる（Ｓ４５）。
【０１１１】
管理装置４３では、読み出し側記録装置４１から受信したデータに対して、例えば、データバックアップ用データ書き込み要求制御信号３３が実施され、使用状況中間記憶部６５のデータを参照して、有効領域のみを選択処理してからデータを不図示のデータ中間記憶部に書き込む。この場合も、使用状況中間記憶部６５のデータはトラック毎かつ記憶領域（セクタ）毎に順番になっているので、通常のバックアップ時における書き込みのヘッドの動きと同様にできるため、管理装置４３はシーク時間を余分に必要としない。
【０１１２】
ステップＳ４６の経路が選択処理対応であるか否かの判断は、読込側のステップＳ４２とＳ４３の判断処理を書込側で実施する処理であり、例えば、図１の信号線７の途中に何らかの中継装置が存在し、その中継装置を介して間接的に送信する場合には管理装置４３で必要になる判断であるが信号線７が直接的に送信する場合には管理装置４３で必要ない処理である。ステップＳ４６の書込先が選択処理対応であるか否かの判断は、上記した間接的に送信する場合でも直接的に送信する場合でも管理装置４３で必要となる判断である。
【０１１３】
書き込み側記録装置４２までの送出経路が使用状況情報の送受信に対応しているか否かの判断方法としては、記憶領域使用状況一括クエリー要求制御信号３１を管理装置４３で受信したか、あるいは、自発的にバックアップする場合等には、管理装置４３から書き込み側記録装置４２に向けて記憶領域使用状況一括セット要求制御信号３２を送出してエラー応答ではなく正常応答が管理装置４３で得られることで判断することができる。書き込み先が有効領域のみを選択して書き込める記録装置であるか否かの判断方法としては、直接的な送信では、上記した送出経路判断が共用されるが、間接的な送信では、経路中に存在する中継装置による判断結果を管理装置４３が待つことになる。
【０１１４】
書き込み側記録装置４２までの送出経路が使用状況情報の送受信に対応しており、書込先が有効領域のみを選択して書き込める記録装置である場合（Ｓ４６：ＹＥＳ）には、管理装置４３は、使用状況中間記憶部６５から使用状況情報を読み出して記録装置４２に送出する（Ｓ４７）。なお、この時点までに、管理装置４３から書き込み側記録装置４２に記憶領域使用状況一括セット要求制御信号３２が送出されていない場合には、管理装置４３は事前に送出しておく。そして、管理装置４３では、書き込み側記録装置４２にバックアップ用データ書き込み要求制御信号３３を用いて、記憶領域使用状況を参照して選択処理してから書き込むように要求し（Ｓ４８）、管理装置４３でデータ読み出し要求制御信号３４が実施され、使用状況中間記憶部６５のデータを参照して、データ中間記憶部６５から有効領域のみを選択処理してからデータを読み出し、読み出したバックアップデータを送出する（Ｓ４９）。
【０１１５】
読み出し側記録装置４１からの送出経路が使用状況情報の送受信に対応していない場合（Ｓ４２：ＮＯ）、あるいは、読み出し元が有効領域のみを選択して読み出せる記録装置でない場合（Ｓ４３：ＮＯ）の少なくとも一方にあてはまる場合には、管理装置４３は、管理装置４３から読み出し側記録装置４１に向けて通常のバックアップ用に用いられる読み出し要求（全データ読み出し要求）が送出される（Ｓ５０）。
【０１１６】
その後、管理装置４３は、ステップＳ４６およびステップＳ４７と同様の処理であるステップＳ５１およびステップＳ５２の処理を実施する。この場合には、読み出し側の記録装置４１は有効領域のみを選択できない記録装置であり、管理装置４３のデータ中間記憶部には全データが格納されており、書き込み側の記録装置４２は有効領域のみを選択して書き込める記録装置である。また、読み出し側の記録装置４１は有効領域のみを選択できないことから、初回のバックアップ時には、管理装置４３の使用状況中間記憶部６５には記憶領域使用状況を読み込むことはできない。しかし、管理装置４３が読み出し側の記録装置４１のデータ記憶部１２とデータ配置記憶部１３のデータの初回バックアップ時にそのデータを受信した後、例えば、２回目以降のバックアップ時には、後述するステップＳ５６で説明するようにその受信内容から管理装置４３独自で使用状況情報を作成することができるので、管理装置４３で選択処理が可能になる。そのため、この場合の管理装置４３では、使用状況中間記憶部６５に格納された記憶領域の使用状況情報を参照して選択処理が実施され（Ｓ５３）、上記したステップＳ４８の処理が実施される。
【０１１７】
書き込み側記録装置４２までの送出経路が使用状況情報の送受信に対応していない場合、あるいは、書込先が有効領域のみを選択して書き込める記録装置ではない場合の少なくとも何れか一方に該当する場合（Ｓ４６：ＮＯ、あるいは、Ｓ５１：ＮＯ）には、管理装置４３は、データ読み出し要求制御信号３４が実施され、使用状況中間記憶部６５から読み出した使用状況情報を参照して選択処理を実施してデータを読み出し、使用状況中間記憶部６５のデータを使って、無効領域のデータをゼロフィルデータにする（Ｓ５４）。なお、管理装置４３の使用状況中間記憶部６５内のデータは、ステップＳ５３で説明したように、初回のバックアップ時には、読み込めないが、２回目以降であれば管理装置４３独自で使用状況情報を作成することができる。
【０１１８】
管理装置４３では、書き込み側の記録装置４２に対して通常のバックアップ用の全データ書き込みを実施するように書き込み要求し（Ｓ５５）、使用状況中間記憶部６５にデータを設定する（Ｓ５６）。なお、ステップＳ５６では、管理装置４３の使用状況中間記憶部６５のデータは、読み出し側の記録装置４１のデータ記憶部１２とデータ配置記憶部１３のデータを基にして、記録装置４１のデータ記憶部１２におけるトラック毎かつ記憶領域（セクタ）毎に順番になるように作成される。そして、無効領域のデータがゼロフィルデータにされた全データがバックアップデータとして書き込み側の記録装置４２に向けて管理装置４３から送出される（Ｓ４９）。
【０１１９】
また、上記した本実施形態の特徴としては、上記した主な特徴（１）〜（３）に加えて、以下の特徴を有している。
【０１２０】
（４）記録装置４１、４２の使用状況記録部５２、６２は、データ記憶部１２、２２の各記録トラックの並び順毎に、かつ、記憶領域の並び順毎にテーブル形式で各記憶領域の使用状況情報を格納している。
【０１２１】
（５）記録装置４１、４２の制御部５１、６１は、バックアップのための読み出し要求を受信した場合には、制御部５１、６１から書き込み先に向けて、使用状況情報を設定して格納するように要求する要求制御信号である記憶領域使用状況一括セット要求制御信号３２を送出することで、書き込み先に対して、使用状況情報を用いて有効領域のみを選択して読み出す処理が可能であるか否かを判断する。
【０１２２】
（５−１）さらに、（５）の記録装置４１、４２の制御部５１、６１は、その判断用送信に対する応答として、エラー応答ではなく正常な応答（要求を受け入れる応答）を受信することで、通信相手が選択して読み出す処理が可能であることがわかった場合には、データ記憶部１２、２２内からデータを読み出して送出する前に、使用状況記憶部５２、６２内の使用状況情報を送出する。
【０１２３】
（５−２）また、（５）の記録装置４１、４２の制御部５１、６１は、その判断用送信に対する応答として、エラー応答を受信することで、通信相手が選択して読み出す処理が可能ではないことがわかった場合には、データ記憶部１２、２２内からデータを読み出して送出する際に、無効領域のデータについてはゼロフィルデータとして送出する。
【０１２４】
（６）通信相手の記録装置と直接に通信可能な信号線と接続されており、バックアップするデータを書き込むために、通信相手に向けて読み出し要求を送出する場合に、記録装置４１、４２の制御部５１、６１は、通信相手に対して、使用状況情報を送出するように要求する要求制御信号である記憶領域使用状況一括クエリー要求制御信号３１を送出することで、読み出し元に対して、使用状況情報を用いて有効領域のみを選択して読み出す処理が可能であるか否かを判断する。
【０１２５】
（６−１）さらに、（６）の記録装置４１、４２の制御部５１、６１は、その判断用送信に対する応答として、エラー応答ではなく正常な応答（要求を受け入れる応答）を受信することで、通信相手が選択して読み出す処理が可能であることがわかった場合には、制御部５１、６１は、通信相手から送出されるデータを受信してデータ記憶部１２、２２に書き込む前に、使用状況情報を受信して使用状況記憶部５２、６２に格納する。そして、制御部５１、６１は、使用状況記憶部５２、６２の使用状況情報を用いて無効領域については受信したデータを書き込まない。さらに、制御部５１、６１は、受信したデータを書き込んだ後に、その受信したデータに基づいて使用状況記憶部５２、６２の使用状況情報を設定して格納する。
【０１２６】
（６−２）また、（６）の記録装置４１、４２の制御部５１、６１は、その判断用送信に対する応答として、エラー応答を受信することで、通信相手が使用状況情報を用いて有効領域のみを選択して読み出す処理が可能ではないことを判断した場合には、使用状況記憶部の使用状況情報を使用しないで受信した全データを書き込み、受信したデータから使用状況情報を設定して格納する。
【０１２７】
（７）記録装置４１、４２の使用状況記憶部５２、６２は、フラッシュメモリ等の不揮発性の半導体記憶素子、あるいは、ディスク状記憶媒体であるデータ記憶部１２、２２の一部の記憶領域を用いて構成することができる。
【０１２８】
（８）複数の記録装置４１、４２と管理装置４３とから構成され、少なくともバックアップ時にデータを読み出す側の記録装置４１が上記した使用状況情報を用いて有効領域のみを選択して読み出す処理が可能である記録装置を用いる記録システムの場合であって、例えば、記録装置４１から記録装置４２にデータをバックアップする場合には、管理装置４３は、バックアップ時にデータを読み出す側の記録装置４１に対して、使用状況情報を送出するように要求する要求制御信号である記憶領域使用状況一括クエリー要求制御信号３１を送出し、要求を受け入れる返信を受信することで、使用状況情報を用いて有効領域のみ読み出す処理が可能であるか否かを問い合わせ、有効領域のみを読み出す処理が可能である場合には、データ記憶部１２内からデータを読み出して送出する前に、データ配置記憶部１３の使用状況情報を送出するように要求する。
【０１２９】
（８−１）さらに、（８）の管理装置４３は、バックアップ時のデータを読み出す側の記録装置４１が有効領域のみを読み出す処理が可能であることを判断できた場合には、記録装置４１に対して、データ読み出し要求制御信号３４を用いて、使用状況記憶部５２の使用状況情報を用いて有効領域のみを選択して読み出すように読み出し要求し、記録装置４１が有効領域のみを読み出す処理が可能であることが判断ができなかった場合には、記録装置４１に対して全記憶領域を読み出すように読み出し要求する。
【０１３０】
（９）（８）と同様の記録システムの場合であって、例えば、記録装置４１から記録装置４２にデータをバックアップする場合には、管理装置４３は、バックアップ時にデータを書き込む側の記録装置４２に対して、データを書き込む側の記録装置に向けて前記使用状況情報を設定して格納するように要求する要求制御信号である記憶領域使用状況一括セット要求制御信号３２を送出し、要求を受け入れる返信を受信することで、使用状況情報を用いて有効領域のみを読み出す処理が可能であるか否かを問い合わせ、有効領域のみを読み出す処理が可能である場合には、データを書き込む側の記録装置４２にデータを送出する前に使用状況情報を送出する。
【０１３１】
（９−１）また、（９）の管理装置４３は、バックアップ時のデータを書き込む側の記録装置４２が有効領域のみを読み出す処理が可能であることを判断できた場合には、記録装置４２に対して、バックアップ用データ書き込み要求制御信号３３を用いて、使用状況記憶部６２の使用状況情報を用いて有効領域のみを選択して書き込むように書き込み要求し、記録装置４２が有効領域のみを読み出す処理が可能であることを判断ができなかった場合には、記録装置４２に対して全記憶領域を書き込むように書き込み要求する。
【０１３２】
（１０）（８）と同様の記録システムの場合であって、例えば、記録装置４１から記録装置４２にデータをバックアップする場合で、さらに、管理装置４３が、バックアップ時のデータを読み出す側の記録装置４１から受信した使用状況情報を格納する使用状況中間記憶部６５を有する場合に、バックアップ時のデータを書き込む側の記録装置４２が有効領域のみを読み出す処理が可能であることを判断できなかった場合には、読み出す側の記録装置４１から受信したデータを書き込む側の記録装置４２に向けて送出する際に、無効領域についてはゼロフィルデータとする。
【０１３３】
（１０−１）また、（１０）の管理装置４３は、書き込む側の記録装置４２が有効領域のみを読み出す処理が可能である場合には、書き込む側の記録装置４２にデータを書き込ませた後に、そのデータを基にして使用状況記憶部６２の使用状況情報を設定して格納させる。
【０１３４】
（１０−２）また、（１０）の管理装置４３は、バックアップをする処理が初回である場合には、書き込む側の記録装置４２に、使用状況記憶部６２の使用状況情報を使用しないで受信した全データを書き込む。
【０１３５】
（１１）記録ディスクを用いた記録装置のバックアップ方法としては、例えば、記録装置４１から記録装置４２にデータをバックアップする場合で、さらに、記録ディスクに記憶領域の配置情報を用いてデータを書き込みあるいは読み出し、使用状況情報を格納する記録装置が、少なくとも読み出し側の記録装置４１である場合に、その読み出し側の記録装置４１は、バックアップのための読み出し要求を受信した場合に、使用状況情報を用いて有効領域のみを選択して読み出しを実施する。
【０１３６】
（１１−１）また、（１１）で、読み出し側の記録装置４１は、使用状況情報を格納する記録装置をバックアップ時の書き込み側の記録装置４２でも備える場合には、バックアップのための書き込み要求を受信した場合に、記録ディスクに書き込まれたデータを送出する前に、使用状況情報を書き込み側の記録装置４２に送出する。
【０１３７】
（１１−２）また、（１１）で、読み出し側の記録装置４１は、使用状況情報を格納する記録装置をバックアップ時の書き込み側の記録装置４２では使用していない場合には、バックアップのための書き込み要求を受信した場合に、使用状況情報を用いて無効領域を選択して、その無効領域は読み出さずにゼロフィルデータとして送出する。
【０１３８】
（１１−３）また、（１１）で、書き込み側の受信装置４２が使用状況情報を格納する記録装置である場合、その書き込み側の受信装置４２は、バックアップのための書き込み要求を受信した場合に、事前に受信した使用状況情報を用いて有効領域のみを選択して書き込みを実施する。
【０１３９】
（１２）記録ディスクを用いた記録システムのバックアップ方法としては、例えば、記録装置４１から記録装置４２にデータをバックアップする場合で、さらに、記録ディスクに記憶領域の配置情報を用いてデータを書き込みあるいは読み出し、使用状況情報を格納する記録装置が、少なくともバックアップ時の読み出し側の記録装置４１で使用され、その記録装置４１から他の記録装置４２へのバックアップする信号線途中に管理装置４３を備える記録システムである場合に、その管理装置４３は、読み出し側の記録装置４１の全データをバックアップする場合、読み出し側の記録装置４１に対して、使用状況情報を用いて有効領域のみを選択して読み出しを実施するように指示する。
【０１４０】
（１２−１）また、（１２）で、使用状況情報を格納する記録装置をバックアップ時の書き込み側の記録装置４２でも備える場合には、管理装置４３は、読み出し側の記録装置４１の全データのバックアップする場合に、読み出し側の記録装置４１に対して、記録ディスクに書き込まれたデータを送出する前に、使用状況情報を書き込み側の記録装置４２に送出するように指示する。
【０１４１】
（１２−２）また、（１２）で、使用状況情報を格納する記録装置をバックアップ時の書き込み側の記録装置４２では使用していない場合には、管理装置４３は、読み出し側の記録装置４１の全データのバックアップする場合に、管理装置４３から読み出し側の記録装置４１に対して、使用状況情報を用いて無効領域を選択して、その無効領域は読み出さずにゼロフィルデータとして送出するように指示する。
【０１４２】
（１２−３）また、（１２）で、使用状況情報を格納する記録装置がバックアップ時の書き込み側の記録装置４２でも使用されている場合には、管理装置４３は、読み出し側の記録装置４１の全データのバックアップする場合に、管理装置４３から書き込み側の記録装置に対して、事前に受信した使用状況情報を用いて有効領域のみを選択して書き込みを実施するように指示する。
【０１４３】
なお、使用状況記憶部５２、６２、あるいは、使用状況中間記憶部６５の使用状況情報（データ）は、上記したように特定記憶領域の使用状況セット要求制御信号で個別に書き換え可能であるが、通常の消去要求制御信号との連動させても良く、また、記録ディスクのフォーマット時にはリセットされる。
【０１４４】
このように、本実施形態は、少なくとも読み出し側の記録装置の中に使用状況情報を格納させ、可能で有れば、書き込み側の記録装置および管理装置にも使用状況情報を格納させることで、バックアップ時に、その使用状況情報を用いて、消去データ等の無効データについては読み出しや書き込みをさせないようにできるので、バックアップ時間を短縮させることができる。
【０１４５】
【発明の効果】
上記のように本発明では、少なくとも読み出し側の記録装置の中に書き込まれたデータの存在が配置情報に示されている有効領域であるか、あるいは、配置情報の消去により書き込まれたデータが存在しても配置情報に示されていない無効領域であるかを示す使用状況情報を記憶領域の処理単位毎に少なくとも１ビットで格納させ、可能で有れば、書き込み側の記録装置および管理装置にも使用状況情報を格納させることで、バックアップ時に、その使用状況情報を用いて、消去データ等の無効データについては読み出しや書き込みをさせないようにできるので、例えば、大容量の記録ディスクを用いた記録装置を長期間使用した場合であっても、バックアップ時間を短縮させることができる。
【０１４６】
また、本発明では、使用状況記憶部を、例えば、ホストオペレーティングシステムが使用するユーザー用データ領域以外の、例えば保守用データ領域などに設ければ、不揮発性の半導体素子を追加する必要はなくなり、装置の部品コストを増やさずにバックアップ時間を短縮させることができる。
【０１４７】
また、本発明では、通信相手の記録装置が使用状況情報に対応している場合には、記憶領域使用状況参照可否切替要求制御信号を使用することにより、使用状況情報を参照するようにしてバックアップ時間を短縮させ、通信相手の記録装置が使用状況情報に対応していない場合には、記憶領域使用状況参照可否切替要求制御信号を使用することにより、使用状況情報を参照しないようにして、バックアップ時の処理時間が従来よりも増加する事態を避けることができる。
【図面の簡単な説明】
【図１】  本発明の実施形態のバックアップ可能な記録装置および記録システムの概略構成を示すブロック図である。
【図２】  ハードディスク装置のディスクとヘッド周辺の概略構成を示す図である。
【図３】  図２のディスク装置の磁気記録ディスクの記録面を示す図である。
【図４】  図２のハードディスク装置の磁気記録ディスクの使用法の一例を示す図である。
【図５】  図４のディスクが断続的（不連続）になった場合の一例を示す図である。
【図６】  使用状況記憶部に格納される使用状況情報の一例を示す図である。
【図７】  制御部で必要になると考えられる要求制御信号を示す図である。
【図８】  本実施形態の記録装置間でバックアップする場合の読み出し側及び書き込み側双方の使用状況記憶部とデータ記憶部のようすを示す図である。
【図９】  バックアップ時の読み出し側の記録装置の動作フローチャートである。
【図１０】  バックアップ時の書き込み側の記録装置の動作フローチャートである。
【図１１】  バックアップ時の経路にある管理装置の動作フローチャートである。
【図１２】  従来のバックアップ可能な記録装置および記録システムの概略構成を示すブロック図である。
【図１３】  記録装置でデータを消去する場合のデータ記憶部とデータ配置記憶部の一例を単純にして示した図である。
【図１４】  従来の記録装置間でバックアップする場合の読み出し側及び書き込み側双方の使用状況記憶部とデータ記憶部のようすを示す図である。
【符号の説明】
１、２、４１、４２  記録装置、  ３、４３  管理装置、  ５〜７  信号線、１１、２１、５１、６１  制御部、  １２、２２  データ記憶部、  １３、２３  データ配置記憶部、  ３１  記憶領域使用状況一括クエリー要求制御信号、３２  記憶領域使用状況一括セット要求制御信号、  ３３  バックアップ用データ書き込み要求制御信号、  ３４  データ読み出し要求制御信号、  ３５  特定記憶領域の使用状況セット要求制御信号、  ３６  記憶領域使用状況参照可否切替要求制御信号、  ５２、６２  使用状況記憶部、  ６５  使用状況中間記憶部。
【図１】
0004288037.tif 000002
【図２】
0004288037.tif 000003
【図３】
0004288037.tif 000004
【図４】
0004288037.tif 000005
【図５】
0004288037.tif 000006
【図６】
0004288037.tif 000007
【図７】
0004288037.tif 000008
【図８】
0004288037.tif 000009
【図９】
0004288037.tif 000010
【図１０】
0004288037.tif 000011
【図１１】
0004288037.tif 000012
【図１２】
0004288037.tif 000013
【図１３】
0004288037.tif 000014
【図１４】
0004288037.tif 000015